(57)【要約】【課題】送風ダクトの嵌合接続の装脱のみで送風ダクトに対する光触媒ユニットの装脱を容易、迅速かつ的確にできる空気脱臭装置を提供する。【解決手段】空気脱臭装置１は、送風ダクト中を圧送風または吸引送風される空気から臭気成分を光触媒によって除去するものである。互いに嵌合接続される一方または他方の送風ダクト２，３の嵌合接続部７に、光触媒ユニット９の装填部１０を形成してある。装填部１０には、送風ダクト３の開口端部６から光触媒ユニット９を装脱する。送風ダクト２，３は熱可塑性樹脂をブロー成形して構成する。装填部１０には、その内方と外方にそれぞれ光触媒ユニット９の係止部１１，１２が形成されている。外方の係止部１２は光触媒ユニット８を開口端部６側から装填し、また開口端部６側へ取り外しできるようにするための弾性を有する突起である。【選択図】        図２
2005024127.tif 000002
【特許請求の範囲】
【請求項１】
送風ダクト中を圧送風または吸引送風される空気から臭気成分を光触媒によって除去する空気脱臭装置であって、互いに嵌合接続される一方または他方の送風ダクトの嵌合接続部に光触媒ユニットの装填部を形成してあり、その装填部に送風ダクトの開口端から光触媒ユニットを装脱するように構成されていることを特徴とする空気脱臭装置。
【請求項２】
一方の送風ダクトに嵌合接続する他方の送風ダクトは分岐ダクトであって、光触媒ユニットの装填部は分岐ダクトをなす他方の嵌合接続部に形成して、その装填部に分岐ダクトをなす他方の送風ダクトの開口端から光触媒ユニットを装脱するように構成されていることを特徴とする請求項１記載の空気脱臭装置。
【請求項３】
光触媒ユニットの装填部を設けた送風ダクトには、その装填部に対応する部分に開閉蓋を備えた開口部を形成して、光触媒ユニットを上記開口部からも装脱可能に構成されていることを特徴とする請求項１または２記載の空気脱臭装置。
【請求項４】
開口部の開閉蓋はヒンジ構造により開閉自在であることを特徴とする請求項３記載の空気脱臭装置。
【発明の詳細な説明】
【０００１】
【発明の属する技術分野】
本発明は、冷房、暖房、換気などの空調用その他の送風設備において、送風ダクト中を圧送風または吸引送風される空気から臭気成分を光触媒によって除去する空気脱臭装置に関するものである。
【０００２】
【従来の技術】
冷房、暖房、換気などの空調用その他の送風設備において、送風ダクト中を圧送風または吸引送風される空気から臭気成分を光触媒によって除去する空気脱臭装置としては、特開２００１−９６１１４号公報、特開平１１−１５７３３２号公報、または特開平１１−２１１２０９号公報に記載されているものなどが知られている。
【０００３】
【発明が解決しようとする課題】
ところで、前掲の特開平１１−２１１２０９号公報には、送風ダクトと同等の筒体をなす光触媒ユニットを、送風ダクトの途中に介在させた構成が示されているが、送風ダクトと光触媒ユニットとはフランジによる連結構造をなしているところから、光触媒ユニットの装脱にあたっては、互いのフランジを連結するボルトおよびナットを装脱しなければならず、その作業が甚だ煩雑である。
【０００４】
そこで、本発明の目的は、送風ダクトの光触媒ユニットを装備する部分を、一方の送風ダクトと他方の送風ダクトを嵌合接続構造とするとともに、一方または他方の送風ダクトの嵌合接続部に光触媒ユニットの装填部を形成して、その装填部に送風ダクトの開口端から光触媒ユニットを装脱するように構成したことにより、送風ダクトの嵌合接続の装脱のみで送風ダクトに対する光触媒ユニットの装脱を容易、迅速かつ的確にできる空気脱臭装置を提供するものである。
【０００５】
【課題を解決するための手段】
本発明の請求項１に係る空気脱臭装置は、送風ダクト中を圧送風または吸引送風される空気から臭気成分を光触媒によって除去する空気脱臭装置であって、互いに嵌合接続される一方または他方の送風ダクトの嵌合接続部に光触媒ユニットの装填部を形成してあり、その装填部に送風ダクトの開口端から光触媒ユニットを装脱するように構成されていることを特徴とするものである。
【０００６】
本発明の請求項２に係る空気脱臭装置は、請求項１記載の構成において、一方の送風ダクトに嵌合接続する他方の送風ダクトは分岐ダクトであって、光触媒ユニットの装填部は分岐ダクトをなす他方の送風ダクトの嵌合接続部に形成して、その装填部に分岐ダクトをなす他方の送風ダクトの開口端から光触媒ユニットを装脱するように構成されていることを特徴とするものである。
【０００７】
本発明の請求項３に係る空気脱臭装置は、請求項１または２記載の構成において、光触媒ユニットの装填部を設けた送風ダクトには、その装填部に対応する部分に開閉蓋を備えた開口部を形成して、光触媒ユニットを上記開口部からも装脱可能に構成されていることを特徴とするものである。
【０００８】
本発明の請求項４に係る空気脱臭装置は、請求項３記載の構成において、開口部の開閉蓋はヒンジ構造により開閉自在であることを特徴とするものである。
【０００９】
【発明の実施の形態】
図１は本発明の一実施の形態に係る空気脱臭装置を示す斜視図、図２はその一部の断面図、図３は同上送風ダクトの端面図、図４は本発明の他の実施の形態に係る空気脱臭装置を示す斜視図である。
【００１０】
図１ないし図３において、空気脱臭装置１は、一方の送風ダクト２と他方の送風ダクト３からなり、他方の送風ダクト３は分岐ダクトをなしており、４はその３つの分岐送風口である。一方の送風ダクト２は送風ユニット（図示せず）に接続されるものである。
【００１１】
一方の送風ダクト２および他方の送風ダクト３は、熱可塑性樹脂をブロー成形してなるものであって、一方の送風ダクト２と他方の送風ダクト３は、図２に示して明かなように嵌合接続される構造をなしている。すなわち、一方の送付ダクト２の開口部５には他方の送風ダクト３の開口端部６が被さるようになっていて、一方の送風ダクト２の開口部５に他方の送風ダクト３の開口部６を被せて互いを嵌合接続する構成となっている。そして、その嵌合接続部７の嵌合状態を密に保持するため、一方の送風ダクト２の開口部５にはパッキング８が装着されている。
【００１２】
上記他方の送風ダクト３の嵌合接続部７には、その開口部６より内側に光触媒ユニット９が開口端部６から装脱自在に装填されており、１０はその装填部である。装填部１０はその内方と外方にそれぞれ光触媒ユニット９の係止部１１，１２が形成されており、外方の係止部１２は光触媒ユニット８を開口端部６から装填し、また開口端部６から取り外しできるようにするための弾性を有する突起である。光触媒ユニット９は光源としてＬＥＤユニットを内蔵しているものである。
【００１３】
以上のように構成された空気脱臭装置１においては、一方の送風ダクト２とそれと嵌合接続されている他方の送風ダクト３からなり、他方の送風ダクト３の嵌合接続部７の装填部１０に光触媒ユニット９が開口端部６から装脱自在となっているものであるから、光触媒ユニット９の装填や交換にあたっては、一方の送風ダクト２と他方の送風ダクト３の嵌合接続を外すのみで、他方の送風ダクト３にその開口端部６から光触媒ユニット９の装脱を容易、迅速かつ的確に行うことができる。
【００１４】
図４に示す他の実施の形態においては、一方の送風ダクト（図示せず）に対して嵌合接続される他方の送風ダクト３の嵌合接続部７に、光触媒ユニット９の装填部１０に対応して、開閉蓋１３を備えた開口部１４を設けてあり、光触媒ユニット９はこの開口部１４を開いて装脱するができるようになっている。上記開閉蓋１３は送風ダクト３に対してヒンジ１５により開閉自在となっている。このヒンジ１５はブロー成形時にパリソンを圧縮薄肉化した一体の薄肉ヒンジである。
【００１５】
この実施の形態のものにおいては、開口部１４の開閉蓋１３を開くことにより、光触媒ユニット９の装脱作業をいっそう簡便に行うことができる。また、開閉蓋１３を開いて装填されている光触媒ユニット９の状態を点検することができていっそう便利である。なお、この実施の形態のものにあっても、一方の送風ダクトと他方の送風ダクト３の嵌合接続を外して光触媒ユニット９を開口端部６から装脱することができることは勿論である。
【００１６】
【発明の効果】
本発明によれば、送風ダクトの光触媒ユニットを装備する部分を、一方の送風ダクトと他方の送風ダクトを嵌合接続構造とするとともに、一方または他方の送風ダクトの嵌合接続部に光触媒ユニットの装填部を形成して、その装填部に送風ダクトの開口端から光触媒ユニットを装脱するように構成したことにより、送風ダクトの嵌合接続の装脱のみで送風ダクトに対する光触媒ユニットの装脱を容易、迅速かつ的確にできる空気脱臭装置が得られる。
【図面の簡単な説明】
【図１】本発明の一実施の形態に係る空気脱臭装置を示す斜視図である。
【図２】その一部の断面図である。
【図３】同上送風ダクトの端面図である。
【図４】本発明の他の実施の形態に係る空気脱臭装置を示す斜視図である。
【符号の説明】
１  空気脱臭装置
２  一方の送風ダクト
３  他方の送風ダクト
４  分岐送風口
５  開口部
６  開口端部
７  嵌合接続部
８  パッキング
９  光触媒ユニット
１０  装填部
１１，１２  係止部
１３  開閉蓋
１４  開口部
１５  ヒンジ
【図１】
2005024127.tif 000003
【図２】
2005024127.tif 000004
【図３】
2005024127.tif 000005
【図４】
2005024127.tif 000006